(57)【要約】【課題】心線乱れが無く、ベルト背面の欠落が無くエンドレスができるエンドレスベルトを製造する樹脂製歯付ベルトのエンドレス化方法及びその装置を提供する。【解決手段】継ぎ目部を、樹脂製歯付ベルト２３の歯形状と同一形状の歯溝を有する金型を備えた第１熱盤４と、前記第１熱盤４に対向する平板状の第２熱盤５とから構成されるエンドレス装置１に、前記樹脂製歯付ベルト２３の歯と、前記歯溝とが合致するように設置し、該第２熱盤５を前記樹脂製歯付ベルト２３  を挟持して固定手段にて第１熱盤４に固定する樹脂製歯付ベルトのエンドレス化方法及びその装置である。【選択図】        図２
2004291321.tif 000002
【特許請求の範囲】
【請求項１】
樹脂製歯付ベルトの端部同士を突き合わせて融合して継ぎ目部とすることによってエンドレス化する樹脂製歯付ベルトのエンドレス化方法であって、前記継ぎ目部を、前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとすることを特徴とする樹脂製歯付ベルトのエンドレス方法。
【請求項２】
該固定手段が第２熱盤及び第１熱盤側面に設けられた長孔にボルトを螺合することによって、第２熱盤と第１熱盤との距離の調節を行なう請求項１に記載の樹脂製歯付ベルトのエンドレス方法。
【請求項３】
樹脂製歯付ベルトの端部同士を突き合わせて融合して継ぎ目部とすることによってエンドレス化する樹脂製歯付ベルトのエンドレス化装置であって、一対のプレスフレームのそれぞれの内側に加熱及び冷却機能を有する前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとすることを特徴とする樹脂製歯付ベルトのエンドレス化装置。
【請求項４】
該固定手段が第２熱盤及び第１熱盤側面に設けられた長孔にボルトを螺合することによって、第２熱盤と第１熱盤との距離の調節を行なう請求項３に記載の樹脂製歯付ベルトのエンドレス化装置。
【発明の詳細な説明】
【０００１】
【発明の属する技術分野】
本発明は、樹脂製歯付ベルトのエンドレス化を容易に行なうことができる方法及び装置に関する。
【０００２】
【従来の技術】
樹脂ベルトのエンドレス施工は、ベルトの両エンドを例えばフィンガー形状に打ち抜き、そのフィンガー形状に打ち抜いた部分を組み合わせ、図３に示すような熱プレス機の上熱盤３１と下熱盤３２との間に入れ、ナット３３を締め付けて加熱圧着することにより行なわれている。ところが、打ち抜き部分の組み合わせ時ならびに熱プレス機に入れる時に両エンド部分３４、３５の側部を一直線に揃えることができず、エンドレス化施工部が歪な形状となり、そのため搬送用ベルトとして使用するときに片寄ることがあった。
【０００３】
それを防止する為に従来とられてきた方法は、図４に示すように、フィンガー形状に打ち抜いた部分３６、３７を合わせるときにベルト側部に金尺３８を当てて直線性を保つようにし、さらに打ち抜いた部分を組み合わせて熱プレス機に挿入する際に接合部のズレが発生しないように注意を払いながら行なうというものであった。しかし、これらの方法では両エンド接合部分の曲がりは完全には抑えられず、作業時間が多くかかり、作業性が悪かった。これらの問題点に鑑みて実用新案登録文献１が出願された。
【０００４】
【実用新案登録文献１】
実登録第２５６６２９６号公報
【０００５】
しかし、熱可塑性樹脂製歯付ベルトにおいては、図５に示すように、従来ベルトの歯形状と対応する溝４１を有した下金型と平坦な上金型の間にベルトを挟み込んで加熱・加圧をすることで熱可塑性樹脂を溶かしベルトの端部同士を接合し、エンドレス化していたが、図６に示すように、耳金３９の高さｈによってエンドレス部の厚みを制御していた。
【０００６】
その為、ジョイントされるベルトの厚みがばらついた場合、溶融した樹脂が金型内に充満しなかったり、逆に金型からあふれ出るといった問題が発生していた。
【０００７】
【発明が解決しようとする課題】
上記のように溶融樹脂の過不足によって金型内で溶融樹脂が流動すると、心線が乱れる、ベルト背面に欠落部が生じるなどの不具合が発生していた。
【０００８】
本発明は上記の点に鑑みてなされたものであり、その目的は心線乱れが無く、ベルト背面の欠落も無しにエンドレスができるエンドレスベルトを製造する装置を提供することにある。
【０００９】
【課題を解決するための手段】
本発明は、樹脂製歯付ベルトの端部同士を突き合わせて融合して継ぎ目部とすることによってエンドレス化する樹脂製歯付ベルトのエンドレス化方法であって、前記継ぎ目部を、前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとすることを特徴とする樹脂製歯付ベルトのエンドレス方法である。
【００１０】
請求項１に記載の発明によると、前記継ぎ目部を、前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとすることを特徴とする樹脂製歯付ベルトのエンドレス方法であることから、樹脂製歯付ベルトの厚みがばらついても継ぎ目部は一定の厚みとなり、溶融樹脂の過不足が生じない。
【００１１】
また請求項２の発明は、該固定手段が第２熱盤及び第１熱盤側面に設けられた長孔にボルトを螺合することによって、第２熱盤と第１熱盤との距離の調節を行なう請求項１に記載の樹脂製歯付ベルトのエンドレス方法である。
【００１２】
また請求項２の発明によると、該固定手段が第２熱盤及び第１熱盤側面に設けられた長孔にボルトを螺合することによって、第２熱盤と第１熱盤との距離の調節を行なう請求項１に記載の樹脂製歯付ベルトのエンドレス方法であることから、容易に第２熱盤と第１熱盤との距離の調節を行なうことができる。
【００１３】
請求項３に記載の発明は、樹脂製歯付ベルトの端部同士を突き合わせて融合して継ぎ目部とすることによってエンドレス化する樹脂製歯付ベルトのエンドレス化装置であって、一対のプレスフレームのそれぞれの内側に加熱及び冷却機能を有する前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとすることを特徴とする樹脂製歯付ベルトのエンドレス化装置にある。
【００１４】
請求項３に記載の発明によると、一対のプレスフレームのそれぞれの内側に加熱及び冷却機能を有する前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとする樹脂製歯付ベルトのエンドレス化装置であることから、樹脂製歯付ベルトの厚みがばらついても継ぎ目部は一定の厚みとなり、溶融樹脂の過不足が生じない。
【００１５】
請求項４に記載の発明は該固定手段が第２熱盤及び第１熱盤側面に設けられた長孔にボルトを螺合することによって、第２熱盤と第１熱盤との距離の調節を行なう請求項３に記載の樹脂製歯付ベルトのエンドレス化装置にある。
【００１６】
請求項４に記載の発明によると、該固定手段が第２熱盤及び第１熱盤側面に設けられた長孔にボルトを螺合することによって、第２熱盤と第１熱盤との距離の調節を行なう請求項３に記載の樹脂製歯付ベルトのエンドレス化装置であることから、容易に第２熱盤と第１熱盤間の距離の調節を行なうことができる。
【００１７】
【発明の実施の形態】
以下、本発明の実施の形態を図面に従って説明する。図１は、本発明の実施形態の樹脂製歯付ベルトのエンドレス化装置（以下、エンドレス化装置という。）の要部概略正面図である。まず、エンドレス化装置を説明し、次にエンドレス化方法を説明する。
【００１８】
図１において、エンドレス化装置１は、一対のプレスフレーム２，３のそれぞれの内側に加熱及び冷却機能を有する第１熱盤４及び第２熱盤５を断熱材６，６を介して配している。そして、第１熱盤４及び第２熱盤５の長手方向両側部には、冷却機能を有する冷却バー７が空隙８を介して配設されている。このように、加熱部分と冷却部分とを完全に独立させた構造とすることによって、各熱盤４，５と、各熱盤４，５の両側部に配設されている冷却バー７との温度差を１２０°Ｃ以上、好ましくは１４０°Ｃ以上とすることができる。これによってエンドレス化装置１の端部に位置する樹脂製歯付ベルトのベルト幅や歯ピッチの収縮を抑えることができる。
【００１９】
第１熱盤４の上には、無端歯付ベルトの歯形状と同一形状の歯溝を有する金型１１が長手方向両側部に空隙８を介して配設されている冷却バー７を跨ぐようにして設置されている。このため、金型１１は、エンドレス化装置１の中心部から外側に向かって温度勾配が形成される。また、この金型１１の全長は歯形によって異なるが、溶融させる加熱部が５０〜１５０ｍｍで、中間部、冷却部を含めると、２００〜５００ｍｍが好ましい。
【００２０】
そして、図２に示すように継ぎ目部をベルト歯側が第１熱盤５の歯溝とが合致するように樹脂製歯付ベルトを第２熱盤４と第１熱盤５の間に設置する。そし、第２熱盤側面側から固定手段として、ボルトを第２熱盤側面及び第１熱盤側面に設けられている長孔２１と螺合して、樹脂製歯付ベルト２３を挟持して圧接する。
【００２１】
そして、第１熱盤及び第２熱盤を加熱し、樹脂製歯付ベルト２３の継ぎ目部を加熱することで継ぎ目部の樹脂を溶融し、樹脂製歯付ベルトのエンドレス化を行なう。このとき、第２熱盤と第１熱盤の位置はボルトと長孔２１にて調節できるので、樹脂製歯付ベルト２３と第１熱盤５との間に隙間が発生することによってエンドレス化できなかったり、或いは溶融する樹脂の量が足りなくてベルト背面に欠落が生じるようなことはない。これらの第１熱盤５及び第２熱盤４は、通常ステンレス、ジュラルミン、鉄、アルミニウム等で形成された軽量かつ熱による変形が小さいことが望ましい。
【００２２】
なお、本発明に係る樹脂製歯付ベルトのエンドレス化装置で第１熱盤は、各樹脂製歯付ベルトの歯形状に合わせて取り替えることが可能であり、歯形状としては、メートル、インチ、スーパートルク、ＡＴ、フラット等に適用可能である。
【００２３】
【発明の効果】
請求項１の発明によると、前記継ぎ目部を、前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて歯付ベルトを第２熱盤及び第１熱盤に圧着させ、加熱して前記樹脂製歯付ベルトをエンドレスとすることを特徴とする樹脂製歯付ベルトのエンドレス方法であることから、樹脂製歯付ベルトの厚みがばらついても継ぎ目部は一定の厚みとなり、溶融樹脂の過不足が生じないという効果がある。
【００２４】
請求項２に記載の発明によると、該固定手段が第２熱盤及び第１熱盤側面に設けられた長孔にボルトを螺合することによって、第２熱盤と第１熱盤との距離の調節を行なう請求項１に記載の樹脂製歯付ベルトのエンドレス方法であることから、容易に第２熱盤と第１熱盤との距離の調節を行なうことができるという効果がある。
【００２５】
請求項３に記載の発明によると、一対のプレスフレームのそれぞれの内側に加熱及び冷却機能を有する前記樹脂製歯付ベルトの歯形状と同一形状の歯溝を有する金型を備えた第１熱盤と、前記第１熱盤に対向する平板状の第２熱盤とから構成されるエンドレス装置に、前記樹脂製歯付ベルトの歯と、前記歯溝とが合致するように設置し、該第２熱盤を前記樹脂製歯付ベルトを挟持して固定手段にて第１熱盤に固定することによって、第２熱盤と第１熱盤との位置合わせを行い、前記樹脂製歯付ベルトに第２熱盤と第１熱盤とを当接させると同時に前記固定手段にて樹脂製歯付ベルトを第２熱盤及び第１熱盤に圧着させ、加熱して前記樹脂製歯付ベルトをエンドレスとする樹脂製歯付ベルトのエンドレス化装置であることから、樹脂製歯付ベルトの厚みがばらついても継ぎ目部は一定の厚みとなり、溶融樹脂の過不足が生じないという効果が有る。
【００２６】
請求項４に記載の発明によると、該固定手段が第２熱盤及び第１熱盤側面に設けられた長孔にボルトを螺合することによって、第２熱盤と第１熱盤との距離の調節を行なう請求項３に記載の樹脂製歯付ベルトのエンドレス化装置であることから、容易に第２熱盤と第１熱盤間の距離の調節を行なうことができるという効果が有る。
【図面の簡単な説明】
【図１】本発明に係る樹脂製歯付ベルトエンドレス化装置の一実施形態例の要部正面断面図を示す。
【図２】本発明の樹脂製歯付ベルトエンドレス化装置の概略図である。
【図３】従来の熱プレス機の側断面図である。
【図４】従来のエンドレス施工部分の直線性を確保する方法を説明する図である。
【図５】従来の樹脂製歯付ベルトエンドレス化装置の下型を示した概略図である。
【図６】従来の樹脂製歯付ベルトエンドレス化装置の正面概略図である。
【符号の説明】
１  エンドレス化装置
２，３  プレスフレーム
４  第１熱盤
５  第２熱盤
６  断熱材
７  冷却バー
８  空隙
１１  金型
１２  歯溝
【図１】
2004291321.tif 000003
【図２】
2004291321.tif 000004
【図３】
2004291321.tif 000005
【図４】
2004291321.tif 000006
【図５】
2004291321.tif 000007
【図６】
2004291321.tif 000008